(57)【要約】【課題】光源ユニットの放熱効果が増加した表示装置を提供する。【解決手段】本発明による表示装置は、映像を表示する表示パネル、バックライトユニット、及びトップカバーを含む。バックライトユニットは、底面である第１ボトムカバー及び第１ボトムカバーから延在された第２ボトムカバーを含むボトムカバーを含む。トップカバーは、第１トップカバー及び第２トップカバーを含む。第１トップカバーは、表示パネルの上面の周辺部をカバーする。第２トップカバーは、第１トップカバーに接続されて第１トップカバーの延長方向に傾いた方向に延長される。平面上でバックライトユニットのエッジは、第１トップカバーのエッジよりさらに外側に突出する。第２ボトムカバーは、第２トップカバーと平行な方向に延長される表示装置。【選択図】図２
2015114665.tif 000002
【特許請求の範囲】
【請求項１】
映像を表示する表示パネルと、
底面である第１ボトムカバー及び前記第１ボトムカバーから延在された第２ボトムカバーを含むボトムカバーを含み、前記表示パネルに光を供給するバックライトユニットと、
前記表示パネルの上面の周辺部をカバーする第１トップカバー及び前記第１トップカバーに延在して前記表示パネルの側面及び前記バックライトユニットの側面をカバーし、前記第１トップカバーの延長方向に傾いた方向に延長される第２トップカバーを含むトップカバーと、を含み、
平面上で前記バックライトユニットのエッジは、前記第１トップカバーのエッジよりさらに外側に突出し、前記第２ボトムカバーは、前記第２トップカバーと平行な方向に延長される表示装置。
【請求項２】
前記第１トップカバーと前記第２トップカバーとが形成する角の内、表示装置内部に含まれる角は、鈍角であることを特徴とする請求項１に記載の表示装置。
【請求項３】
前記第２トップカバーと前記表示パネルの厚さ方向とが形成する角の内、表示装置内部に含まれる角は、鋭角であることを特徴とする請求項１に記載の表示装置。
【請求項４】
前記第１ボトムカバーと前記第２ボトムカバーとが形成する角の内、表示装置内部に含まれる角は、鋭角であることを特徴とする請求項３に記載の表示装置。
【請求項５】
前記バックライトユニットは、
光を生成する光源及び前記光源を駆動する光源ＰＣＢを含む光源ユニットと、
前記光源から入射した光をガイドして上部に出射する導光板と、
前記導光板の下部に配置されて入射した光を反射する反射板と、
前記導光板上に配置されて前記導光板から出射した光の効率を増加させる光学シートと、
前記光源ユニットを固定し、前記光源ユニットで発生した熱を放出する固定バーと、をさらに含むことを特徴とする請求項１に記載の表示装置。
【請求項６】
前記固定バーは、
前記第１ボトムカバー上に配置された固定底部と、
前記固定底部から延在して内面に前記光源ユニットが接続される固定側壁部と、を含むことを特徴とする請求項５に記載の表示装置。
【請求項７】
前記固定側壁部は、前記第１ボトムカバーと前記第２ボトムカバーとの間の空間に対応される形状を有することを特徴とする請求項６に記載の表示装置。
【請求項８】
前記固定側壁部は、前記固定底部に近くなるほど、増加する厚さを有することを特徴とする請求項７に記載の表示装置。
【請求項９】
前記トップカバー及び前記ボトムカバーの間に配置されて前記トップカバー及び前記ボトムカバーと結合されるモールドフレームをさらに含むことを特徴とする請求項１に記載の表示装置。
【請求項１０】
前記モールドフレームは、
前記第１トップカバーと平行な方向に延長されて前記表示パネルを支持する第１モールドフレームと、
前記第２トップカバーと平行な方向に延長される第２モールドフレームと、を含むことを特徴とする請求項９に記載の表示装置。
【発明の詳細な説明】
【技術分野】
【０００１】
本発明は表示装置に関し、さらに詳細には表示品質が向上された表示装置に関する。
【背景技術】
【０００２】
液晶表示装置、電気泳動表示装置、及びエレクトロ・ウェッティング表示装置のような非発光型表示装置は光を照射するための別のバックライトユニット（Ｂａｃｋｌｉｇｈｔ  Ｕｎｉｔ）が必要である。
【０００３】
表示装置は映像を表示する表示パネル、バックライトユニット、及びトップカバーを含む。トップカバーは表示パネル及びバックライトユニットのエッジをカバーし、表示パネル及びバックライトユニットを結合する。
【０００４】
バックライトユニットは映像が表示される表示面に対する光源の位置にしたがってエッジ型（ｅｄｇｅ  ｔｙｐｅ）と直下形（ｄｉｒｅｃｔ  ｔｙｐｅ）とに区分される。
【０００５】
比較的高価な表示装置の場合、トップカバーの幅を減らして表示装置の側面ベゼルを最小化しようとする研究が進行されて来た。一方、トップカバーの幅が減ると、光源ユニットと導光板との間の距離を確保しにくい問題があり、（エッジ型バックライトユニット）導光板が熱膨張すると、表示パネル方向に膨脹して表示パネルを圧迫するようになる。結果的に表示装置の表示品質が低下する問題がある。また、トップカバーの幅が減ると、光源ユニットから発生する熱を放熱するための放熱機構の体積が小さくなってバックライトユニットが劣化する問題がある。
【０００６】
比較的低価な表示装置の場合、表示装置の側面ベゼルを最少化しながら、表示品質を向上させることができる構造が必要である。
【先行技術文献】
【特許文献】
【０００７】
【特許文献１】米国特許第７，７６４，３３１号明細書
【特許文献２】米国特許第８，１６４，５８３号明細書
【発明の概要】
【発明が解決しようとする課題】
【０００８】
本発明が達成しようとする課題は光源ユニットの放熱効果が増加した表示装置を提供することである。
【０００９】
本発明が達成しようする他の課題は導光板のエッジで光漏れを防止できる表示装置を提供することである。
本発明が達成しようとするその他の課題は導光板が表示パネルと垂直方向に熱膨張する問題を事前に防止できる表示装置を提供することである。
【課題を解決するための手段】
【００１０】
本発明の一実施形態に係る表示装置は、映像を表示する表示パネル、バックライトユニット、及びトップカバーを含む。
【００１１】
前記バックライトユニットは、前記表示パネルに光を供給する。前記バックライトユニットは、第１ボトムカバー及び第２ボトムカバーを含む。前記第１ボトムカバーは、底面であり得る。前記第２ボトムカバーは、前記第１ボトムカバーから延在され得る。
【００１２】
前記トップカバーは、第１トップカバー及び第２トップカバーを包含することができる。前記第１トップカバーは、前記表示パネルの上面の周辺部をカバーすることができる。前記第２トップカバーは、前記第１トップカバーに接続されて前記表示パネルの側面及び前記バックライトユニットの側面をカバーし、前記第１トップカバーの延長方向に傾いた方向に延在され得る。
【００１３】
平面上で前記バックライトユニットのエッジは、前記第１トップカバーのエッジよりさらに外側に突出し得る。前記第２ボトムカバーは、前記第２トップカバーと平行な方向に延長され得る。
【００１４】
前記第１トップカバーと前記第２トップカバーとが形成する角は、鈍角である。
【００１５】
前記第２トップカバーと前記表示パネルの厚さ方向とが形成する角は、鋭角であり得る。
【００１６】
前記第１ボトムカバーと前記第２ボトムカバーとが形成する角は、前記鋭角であり得る。
【００１７】
前記バックライトユニットは、光源ユニット、導光板、反射板、光学シート、及び固定バーをさらに包含することができる。前記光学ユニットは、光を出光する光源及び前記光源を駆動する光源ＰＣＢを包含することができる。前記導光板は、前記光源から入光された光をガイドして上部に出射することができる。前記反射板は、前記導光板の下部に配置されて入光された光を反射することができる。前記光学シートは、前記導光板上に配置されて前記導光板で出射された光の効率を増加させ得る。前記固定バーは、前記光源ユニットを固定し、前記光源ユニットで発生した熱を放出することができる。
【００１８】
前記固定バーは、固定底部及び固定側壁部を包含することができる。前記固定底部は、前記第１ボトムカバー上に配置され得る。前記固定側壁部は、前記固定底部から延長されて内面に前記光源ユニットが接続され得る。
【００１９】
前記固定側壁部は、前記第１ボトムカバーと前記第２ボトムカバーとの間の空間に対応される形状を有し得る。前記固定側壁部は、前記固定底部に近くなるほど、増加する厚さを有し得る。
【００２０】
前記表示装置は、前記トップカバー及び前記ボトムカバーの間に配置されて前記トップカバー及び前記ボトムカバーと結合されるモールドフレームをさらに包含することができる。
【００２１】
前記モールドフレームは、第１モールドフレーム及び第２モールドフレームを包含することができる。前記第１モールドフレームは、前記第１トップカバーと平行な方向に延長されて前記表示パネルを支持することができる。前記第２モールドフレームは、前記第２トップカバーと平行な方向に延長され得る。
【００２２】
前記第２モールドフレームと前記表示パネルの厚さ方向とが形成する角は、鋭角であり得る。
【００２３】
本発明の一実施形態に係る表示装置は、映像を表示する表示パネル、バックライトユニット、及びトップカバーを含む。
【００２４】
前記バックライトユニットは、前記表示パネルに光を提供する。前記バックライトユニットは、第１ボトムカバー及び第２ボトムカバーを含む。前記第１ボトムカバーは、底面であり得る。前記第２ボトムカバーは、前記第１ボトムカバーから延在され得る。
【００２５】
前記トップカバーは、第１トップカバー、第２トップカバー、及び第３トップカバーを包含することができる。前記第１トップカバーは、前記表示パネルの上面の周辺部をカバーすることができる。前記第２トップカバーは、前記第１トップカバーに接続されて前記表示パネルの側面一部及び前記バックライトユニットの側面一部をカバーすることができる。前記第３トップカバーは、前記第２トップカバーに接続されて前記表示パネルの側面の残りの部分及び前記バックライトユニットの側面残りの部分をカバーし、前記第１トップカバーの延長方向に傾いた方向に延長され得る。
【００２６】
平面上で前記バックライトユニットのエッジは前記第１トップカバーのエッジよりさらに外側に突出し得る。前記第２ボトムカバーは、前記第３トップカバーと平行な方向に延長され得る。
【００２７】
前記第１トップカバーと前記第２トップカバーとが形成する角は、直角であり得る。
【００２８】
前記第３トップカバーと前記表示パネルの厚さ方向とが形成する角は、鋭角であり得る。
【発明の効果】
【００２９】
本発明による表示装置によれば、光源ユニットの放熱効果を増加させることができる。
【００３０】
また、表示装置は導光板のエッジで光漏れを防止することができる。
【００３１】
また、表示装置は導光板が表示パネルと垂直方向に熱膨張する問題を事前に防止することができる。
【図面の簡単な説明】
【００３２】
【図１】本発明の一実施形態に係る表示装置を示した分解斜視図である。
【図２】図１の表示装置の一部断面図である。
【図３】本発明の一実施形態に係る表示装置を示した一部断面図である。
【図４】本発明の一実施形態に係る表示装置を示した一部断面図である。
【図５】本発明の一実施形態に係る表示装置を示した一部断面図である
【発明を実施するための形態】
【００３３】
以上の本発明の目的、他の目的、特徴及び長所は添付された図面に関連する以下の望ましい実施形態を通じて容易に理解できる。しかし、本発明はここで説明される実施形態に限定されなく、他の形態に具体化されることもあり得る。むしろ、紹介される実施形態は開示された内容が徹底であり、完全になることできるように、そして当業者に本発明の思想が十分に伝達され得るようにするために提供される。
【００３４】
図１は本発明の一実施形態に係る表示装置１０００を示した分解斜視図であり、図２は図１の表示装置の一部断面図である。
【００３５】
図１及び図２を参照すれば、表示装置１０００は表示パネル１００、バックライトユニット２００、トップカバー３００、及びモールドフレーム４００を含む。
【００３６】
表示パネル１００はバックライトユニット２００から光を受けて映像を表示する。表示パネル１００は液晶表示パネルのような非発光型表示パネルであり、以下、表示パネル１００は液晶表示パネルであることを一例として説明する。
【００３７】
表示パネル１００は下部基板１１０、下部基板１１０に対向する上部基板１２０、及び２つの基板との間に配置された液晶層を含む。下部基板１１０は複数のゲートライン及び複数のデータライン、ゲートライン及びデータラインに対応する複数の画素を含む。画素の各々には薄膜トランジスタが具備される。上部基板１２０はカラーフィルター及びブラックマトリックスを包含することができる。カラーフィルターは画素の各々に対応するように配置される。ブラックマトリックスはカラーフィルターのエッジに具備されてゲートライン、データライン、及び薄膜トランジスタと対応するように配置される。
【００３８】
表示パネル１００が長方形状である時、表示パネル１００の一面の第１辺の延長方向を第１方向ＤＲ１であると定義し、第１辺に隣接する第２辺の延長方向を第２方向ＤＲ２であると定義し、表示パネル１００の厚さ方向を第３方向ＤＲ３であると定義する。図１で第１辺が長辺であり、第２辺が短辺であることを一例として図示したが、これに制限されることではなく、第１辺が短辺であり、第２辺が長辺であり得る。
【００３９】
表示装置１０００は印刷回路基板１１０及びフレキシブル印刷回路基板１２０をさらに包含することができる。印刷回路基板１１０には表示パネル１００を駆動するための駆動部が実装され得る。駆動部は各種駆動信号を生成し、駆動信号はフレキシブル印刷回路基板１２０を通じて表示パネル１００に伝達することができる。フレキシブル印刷回路基板１２０は表示パネル１００及び印刷回路基板１１０を電気的に接続させる。フレキシブル印刷回路基板１２０はＴＣＰ（ｔａｐｅ  ｃａｒｒｉｅｒ  ｐａｃｋａｇｅ）又はＣＯＦ（ｃｈｉｐ  ｏｎ  ｆｉｌｍ）であり得る。
【００４０】
また、表示装置１０００は表示パネル１００を介して配置された一対の偏光板（図示せず）をさらに包含することができる。偏光板（図示せず）は互いに直交する光の透過軸を有し得る。
【００４１】
バックライトユニット２００は光源ユニット２１０、導光板２２０、反射板２３０、光学シート２４０、固定バー２５０、及びボトムカバー２６０を含む。
【００４２】
光源ユニット２１０は光源２１１及び光源ＰＣＢ２１２を含む。光源２１１は少なくとも１つ以上実装され、光源ＰＣＢ２１２に実装されて光源ＰＣＢ２１２から電源が供給されて発光する。光源２１１は発光ダイオード（Ｌｉｇｈｔ  Ｅｍｉｔｔｉｎｇ  Ｄｉｏｄｅ：ＬＥＤ）であり得る。光源ＰＣＢ２１２は光源２１１を駆動するための電源を外部から供給されて光源２１１に伝達する。
【００４３】
本実施形態では光源２１１は発光ダイオードであることを一例として説明したが、光源２１１は冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）又は平板蛍光ランプ（Ｆｌａｔ  Ｆｌｕｏｒｅｓｃｅｎｔ  Ｌａｍｐ：ＦＦＬ）であり得る。
【００４４】
図１及び図２で光源ユニット２１０は１つであることを一例として図示したが、これに制限されることではなく、光源ユニット２１０は２つ以上であり得る。また、図１及び図２で光源ユニット２１０はエッジ型構造として導光板２２０の側面に対応するように具備されたことと図示したが、これに制限されることではない。
【００４５】
導光板２２０は光源２１１から入射した光を誘導して導光板２２０の上部に出射する役割を果たす。
【００４６】
導光板２２０は入射面２２１と出射面２２２とを有する板状である。図１で導光板２２０は平面上で四角形であることを一例として示した。入射面２２１には光源２１１で発生した光が入射し、入射した光は出射面２２２を通過して導光板２２０の上部に出射される。
【００４７】
反射板２３０は導光板２２０の下部に配置される。反射板２３０は光源２１１で発生した光の中で導光板２２０に到達せず、漏れた光を反射する。
【００４８】
光学シート２４０は導光板２２０上に配置されて導光板２２０から出射される光の効率を増加させる。
【００４９】
光学シート２４０は拡散シート２４１、集光シート２４２、及び保護シート２４３を順次的に包含することができる。拡散シート２４１は入射した光を拡散させる役割を果たす。集光シート２４２は拡散シート２４１で拡散された光を集めて輝度を高くする役割を果たす。保護シート２４３は集光シート２４２を保護し、視野角を確保する役割を果たす。図１及び図２で光学シート２４０は３枚で構成されたことを一例として図示したが、場合によって４枚以上に構成され得る。
【００５０】
固定バー２５０は光源ユニット２１０を固定し、光源ユニット２１０で発生した熱を放出する。
【００５１】
固定バー２５０は固定底部２５１及び固定側壁部２５２を包含することができる。固定底部２５１は導光板２２０の下部に配置され、導光板２２０の平面上の形状に対応する形状を有し得る。固定側壁部２５２は固定底部２５１から延在される。固定側壁部２５２の内面には光源ユニット２１０が接続され得る。固定バー２５０はアルミニウム又はアルミニウム合金のような熱伝導性が優れた金属から製造され、圧出、板金、鋳造等の多様な加工方法により形成され得る。固定バー２５０の具体的な形状に対しては後述される。
【００５２】
ボトムカバー２６０は内部に収納空間が設けられ、収納空間に光源ユニット２１０、導光板２２０、反射板２３０、光学シート２４０、及び固定バー２５０を収納する。
【００５３】
ボトムカバー２６０は第１ボトムカバー２６１及び第２ボトムカバー２６２を含む。第１ボトムカバー２６１は底面に配置される。第２ボトムカバー２６２は第１ボトムカバー２６１から延在される。ボトムカバー２６０の具体的な形状に対しては後述される。
【００５４】
トップカバー３００は表示パネル１００の上面一部を覆い、モールドフレーム４００及びボトムカバー２６０に結合される。
【００５５】
トップカバー３００は第１トップカバー３１０及び第２トップカバー３２０を包含することができる。第１トップカバー３１０は表示パネル１００の上面の周辺部をカバーする。第１トップカバー３１０は開口部を具備する環形状であり得る。第２トップカバー３２０は第１トップカバー３１０から延在される。第２トップカバー３２０は表示パネル１００の側面及びバックライトユニット２００の側面をカバーする。
【００５６】
第１トップカバー３１０は表示パネル１００の上面と平行な方向に延長され得る。第２トップカバー３２０は第１トップカバー３１０の延長方向に傾いた方向に延長され得る。
【００５７】
第１方向ＤＲ１及び第２方向ＤＲ２がなす平面に対して第１トップカバー３１０及び第２トップカバー３２０が形成する角は鈍角である。言い換えれば、第２トップカバー３２０と第３方向ＤＲ３とが形成する角は鋭角（θ）であり得る。
【００５８】
モールドフレーム４００はトップカバー３００及びボトムカバー２６０の間に配置されてトップカバー３００及びボトムカバー２６０と結合され得る。モールドフレーム４００は第１モールドフレーム４１０及び第２モールドフレーム４２０を包含することができる。
【００５９】
第１モールドフレーム４１０は表示パネル１００を支持する。第１モールドフレーム４１０は開口部を具備する環形状に提供され得る。第１モールドフレーム４１０とボトムカバー２６０との間には光源ユニット２１０、導光板２２０、反射板２３０、光学シート２４０、及び固定バー２５０が配置され得る。
【００６０】
第２モールドフレーム４２０は第１モールドフレーム４１０に接続される。第２モールドフレーム４２０は第２トップカバー３１０及び第２ボトムカバー２６２の間に配置されて第２トップカバー３１０及び第２ボトムカバー２６２に接続され得る。
【００６１】
第１モールドフレーム４１０は第１トップカバー３１０と平行な方向に延長され得る。第２モールドフレーム４２０は第２トップカバー３２０と平行な方向に延長され得る。第１方向ＤＲ１及び第２方向ＤＲ２がなす平面に対して第１モールドフレーム４１０及び第２モールドフレーム４２０が形成する角は鈍角である。言い換えれば、第２モールドフレーム４２０と第３方向ＤＲ３とが形成する角は鋭角（θ）であり得る。
【００６２】
モールドフレーム４００は第３モールドフレーム４３０をさらに包含することができる。第３モールドフレーム４３０は第１トップカバー３１０を支持するために第１モールドフレーム４１０から第３方向ＤＲ３へ突出された形状を有し得る。
【００６３】
第１ボトムカバー２６１は第１トップカバー３１０と平行な方向に延長され得る。第２ボトムカバー２６２は第２トップカバー３２０と平行な方向に延長され得る。第１方向ＤＲ１及び第２方向ＤＲ２がなす平面に対して第１ボトムカバー２６１及び第２ボトムカバー２６２が形成する角は鋭角（θ）であり得る。
【００６４】
固定側壁部２５２は第１ボトムカバー２６１及び第２ボトムカバー２６２の間の第３方向ＤＲ３空間に対応する形状を有し得る。したがって、固定側壁部２５２は固定底部２５１に近くなるほど、増加する厚さを有し得る。
【００６５】
表示装置１０００は接続部材ＳＣをさらに包含することができる。接続部材ＳＣは第２トップカバー３２０、第２モールドフレーム４２０、及び第２ボトムカバー２６２を貫通して接続することができる。接続部材ＳＣはスクリュー、ボルト、及びボスの中でいずれか１つであり得る。接続部材ＳＣは第２トップカバー３２０、第２モールドフレーム４２０、及び第２ボトムカバー２６２の各々の延長方向に対して垂直になる方向に接続され得る。
【００６６】
本発明の一実施形態に係る表示装置によれば、第１方向ＤＲ１及び第２方向ＤＲ２がなす平面上でバックライトユニット２００は第１トップカバー３１０よりさらに外側に突出され得る。
【００６７】
第２トップカバー３２０が第３方向ＤＲ３に対して鋭角（θ）ぐらい傾き、第２モールドフレーム４２０及び第２ボトムカバー２６２は第２トップカバー３２０と平行に配置され得る。したがって、第１方向ＤＲ１及び第２方向ＤＲ２がなす平面上で第１ボトムカバー２６１のエッジは第２トップカバー３２０に隣接する第１トップカバー３１０のエッジより延長領域ＥＡぐらい外側に突出される。
【００６８】
延長領域ＥＡによって第１ボトムカバー２６１及び第２ボトムカバー２６２の間の空間が確保され、固定側壁部２５２の厚さが増加する形状を有し得る。第２ボトムカバー２６２が第１ボトムカバー２６１から垂直に延在される比較例と比較して、固定側壁部２６２の体積がさらに大きくなることができるので、光源ユニット２１０の放熱効果が増加することができる。
【００６９】
また、延長領域ＥＡによって導光板２２０が比較例に比べて第１方向ＤＲ１及び第２方向ＤＲ２にさらに大きく形成されることができるので、導光板２２０のエッジでの光漏れを防止することができる。
【００７０】
導光板２２０は加熱される場合、第１方向ＤＲ１及び第２方向ＤＲ２に膨張し、光源ユニット２１０等のような構成によって阻まれて、それ以上に第１方向ＤＲ１及び第２方向ＤＲ２に膨張しない場合、第３方向ＤＲ３に膨張し得る。導光板２２０が第３方向ＤＲ３に膨張すれば、表示パネル１００に圧力が加わるようになり、これは表示装置の表示品質の低下として表れる。延長領域ＥＡによって光源ユニット２１０と導光板２２０との間の距離が比較例に比べてさらに確保されることができるので、導光板２２０が第３方向ＤＲ３に膨脹する問題を事前に防止することができる。
【００７１】
図３は本発明の一実施形態に係る表示装置１１００を示した一部断面図である。
【００７２】
図３の表示装置１１００は図１及び図２に示した表示装置１０００と比較してセットフレーム５００をさらに含む。以下ではセットフレーム５００に対して具体的に説明し、残る構成に対する説明は図１及び図２を参照した説明にしたがう。
【００７３】
セットフレーム５００はトップカバー３００をカバーする。セットフレーム５００は使用者に視認される最外側フレームとして表示パネル１００、バックライトユニット２００、トップカバー３００、及びモールドフレーム４００を保護することと共に表示装置の外的デザインを決定する。
【００７４】
セットフレーム５００は第１セットフレーム５１０、第２セットフレーム５２０、及び第３セットフレーム５３０を含む。
【００７５】
第１セットフレーム５１０は第１トップカバー３１０上に配置されて第１トップカバー３１０をカバーする。第１セットフレーム５１０は第１トップカバー３１０と平行に延長される。
【００７６】
第２セットフレーム５２０は第１セットフレーム５１０の一端に接続され、第２トップカバー３２０上に配置されて第２トップカバー３２０をカバーする。第２セットフレーム５２０は第２トップカバー３２０と平行に延長される。
【００７７】
第３セットフレーム５３０は第１セットフレーム５１０の他端に接続され、表示パネル１００上に配置されて第１トップカバー３１０の一側面３１１をカバーする。
【００７８】
セットフレーム５００はトップカバー３００と類似な形状を有するので、トップカバー３００をカバーするための最適化された形状を有する。セットフレーム５００がトップカバー３００と互に異なる形状を有する比較例と比較して、セットフレーム５００の形状によってトップカバー３００がセットフレーム５００に密着されて結合され、結果的にベゼルが減少され得る。
【００７９】
図４は本発明の一実施形態に係る表示装置１２００を示した一部断面図である。
【００８０】
図４の表示装置１２００は図３に示した表示装置１１００と比較してセットフレーム６００に差異があり、残りは実質的に類似である。以下ではセットフレーム６００に対して具体的に説明し、残る構成に対する説明は図１、図２、及び図３を参照した説明にしたがう。
【００８１】
図４を参照すれば、セットフレーム６００は第２トップカバー３２０上に配置されて第２トップカバー３２０をカバーする。セットフレーム６００は第２トップカバー３２０と平行に延長される。
【００８２】
図４の表示装置１２００によると、図３の表示装置１１００の効果を有することと共に図３の表示装置１１００で第１セットフレーム５１０及び第３セットフレーム５３０を除去することができるので、表示装置１２００の厚さを減少させ得る。
【００８３】
図５は本発明の一実施形態に係る表示装置１３００を示した一部断面図である。
【００８４】
図５の表示装置１３００は図１及び図２に示した表示装置１０００と比較してトップカバー７００に差異があり、残りは実質的に類似である。以下ではトップカバー７００に対して具体的に説明し、残る構成に対する説明は図１及び図２を参照した説明にしたがう。
【００８５】
トップカバー７００は表示パネル１００の上面一部を覆い、モールドフレーム４００及びボトムカバー２６０に結合される。
【００８６】
トップカバー７００は第１トップカバー７１０、第２トップカバー７２０、及び第３トップカバー７３０を包含することができる。第１トップカバー７１０は表示パネル１００の上面周辺部をカバーする。第１トップカバー７１０は開口部を具備する環形状に提供され得る。
【００８７】
第２トップカバー７２０は第１トップカバー７１０から延在される。第２トップカバー７２０は表示パネル１００の側面一部及びバックライトユニット２００の側面の一部をカバーする。
【００８８】
第３トップカバー７３０は第２トップカバー７２０から延在される。第３トップカバー７３０は表示パネル１００の側面の残りの部分及びバックライトユニット２００の側面の残りの部分をカバーする。
【００８９】
第１トップカバー７１０は表示パネル１００の上面と平行な方向に延長され得る。第２トップカバー７２０は第１トップカバー７１０の延長方向と垂直になる方向に延長され得る。即ち、第１トップカバー７１０と第２トップカバー７２０とが形成する角は直角であり得る。第３トップカバー７３０は第１トップカバー７１０の延長方向に傾いた方向に延長され得る。
【００９０】
第１方向ＤＲ１及び第２方向ＤＲ２がなす平面に対して第１トップカバー７１０及び第３トップカバー７３０が形成する角は鈍角である。言い換えれば、第３トップカバー７３０と第３方向ＤＲ３とが形成する角は鋭角（θ）であり得る。
【００９１】
以上、添付された図面を参照して本発明の実施形態を説明したが、本発明が属する技術分野で通常の知識を有する者は本発明がその技術的な思想や必須的な特徴を変形せず、他の具体的な形態に実施できることを理解できる。したがって、以上で記述した実施形態にはすべての面で例示的なことであり、限定的なことではないこととして理解しなければならない。
【符号の説明】
【００９２】
１０００・・・表示装置
１００・・・表示パネル
２００・・・バックライトユニット
２１０・・・光源ユニット
２２０・・・導光板
２３０・・・反射板
２４０・・・光学シート
３００、７００・・・トップカバー
４００・・・モールドフレーム
５００、６００・・・セットフレーム
【図１】
2015114665.tif 000003
【図２】
2015114665.tif 000004
【図３】
2015114665.tif 000005
【図４】
2015114665.tif 000006
【図５】
2015114665.tif 000007